(57)【特許請求の範囲】
【請求項１】
外枠内に、横流ファンと、前記横流ファンを回転させるモータと、風向風速制御装置とを備え、前記外枠の背面に室内の空気を吸い込む吸込口と、前記吸込口にフィルターを設け、前記外枠の底面に前記室内の空気を吸い込んだ空気を吹き出す前記風向風速制御装置を備えた吹出口を設け、前記外枠内の前記吹出口の付近に静電霧化装置を設け、吹き出された風を洗濯物に当てることで、洗濯物乾燥を行う送風装置であって、前記風向風速制御装置は、小型モータにより回動し、前記送風装置は壁面に備えられ、前記風向風速制御装置が閉じる方向の動作の間に洗濯物周辺の湿気を取り除くとき、前記風向風速制御装置が閉じるまでの動作を１［°／ｓ］するのに対して、開く際の動作が十分に速い２２［°／ｓ］することを特徴とした送風装置。
【請求項２】
外枠内に、横流ファンと、前記横流ファンを回転させるモータと、風向風速制御装置とを備え、前記外枠の背面に室内の空気を吸い込む吸込口と、前記吸込口にフィルターを設け、前記外枠の底面に前記室内の空気を吸い込んだ空気を吹き出す前記風向風速制御装置を備えた吹出口を設け、前記外枠内の前記吹出口の付近に静電霧化装置を設け、吹き出された風を洗濯物に当てることで、洗濯物乾燥を行う送風装置であって、前記風向風速制御装置は、小型モータにより回動し、送風装置は天井に備えられ、前記風向風速制御装置が開く方向の動作の間に洗濯物周辺の湿気を取り除くとき、前記風向風速制御装置が開くまでの動作を１［°／ｓ］するに対して、閉じる際の動作が十分に速い２２［°／ｓ］することを特徴とした送風装置。
【請求項３】
風向風速制御装置が閉じる動作の間、最初は洗濯物の上側に風を当て、徐々に風向を下側へ変化させ、洗濯物の最下部に到達した時点で、閉じる動作に対して十分に早い速度で風向風速制御装置を開くことを特徴とした請求項１に記載の送風装置。
【請求項４】
風向風速制御装置が開く動作の間、最初は洗濯物の上側に風を当て、徐々に風向を下側へ変化させ、洗濯物の最下部に到達した時点で、閉じる動作に対して十分に早い速度で風向風速制御装置を開くことを特徴とした請求項２に記載の送風装置。
【請求項５】
風向風速制御装置の動作速度が、洗濯物の上側の領域に風を当てている際の動作速度と比べて、下側の領域では動作速度が遅いことを特徴とした請求項１〜４のいずれかに記載の送風装置。
【請求項６】
風向風速制御装置の動作範囲が洗濯物の上部から下部の全範囲に風を当てる動作範囲であることを特徴とした請求項１〜５のいずれかに記載の送風装置。
【発明の詳細な説明】
【技術分野】
【０００１】
本発明は、洗濯物等を乾燥させることができる送風装置に関する。
【背景技術】
【０００２】
従来、この種の送風装置は、排気口を有する本体ケースと、室内の空気を吸い込むための吸込口と、吸い込んだ空気を室内内にもどす吹出口とを有する本体パネルとを備えて箱状に形成され、本体ケースの内部には、吸込口から空気を吸引して送風するための送風手段と、送風ファンからの空気の送風方向を排気口や吹出口に切り換えるためのダンパーと、送風ファンが吸い込んだ空気を暖める加熱手段とを備えたものが知られている。（例えば、特許文献１参照）。また、洗濯物を乾燥させる場合、洗濯物に対して加熱、送風を行うことにより、より短時間で洗濯物が乾燥する。しかしその際、熱源を用いることで多量のエネルギーを消費することが問題になっている。屋内で洗濯物を乾燥させる家庭では、例えば朝に洗濯物を干して出勤し夕方まで放置しておく、あるいは夜に洗濯物を干して就寝し朝まで放置しておくといったように、洗濯物が長時間放置される場合が多い。この場合必ずしも短時間で洗濯物を乾燥させる必要はなく、むしろある程度の時間をかけてもよいので省エネルギーに洗濯物を乾燥させたいというニーズがある。
【０００３】
以下、従来の送風装置について、図５を参照しながら説明する。
【０００４】
図５に示すように、本体は、本体ケース１０１と、吸込口１０２と吹出口１０３とを有する本体パネル１０４とにより箱状に形成される。本体ケース１０１は、側面に排気口１０５を有し、内部に送風手段としての送風機１０７と、加熱手段としてのヒーター１０９と、送風機１０７が送風する空気の風路を切り換えるダンパー１１０を備える。本体ケース１０１には、さらにダンパー１１０の動作を制御する制御手段（図示せず）を備える。
【０００５】
従来の送風装置を室内の天井面１１３に設置して乾燥運転を行うと、送風機１０７が運転され、室内内の空気が吸込口１０２から吸引される。送風機１０７により吸引送風される空気は、ダンパー１１０によって仕切られた吹出口１０３と連通する風路において、ヒーター１０９によって暖められ、この暖められた空気は吹出口１０３から室内内へと戻される。またダンパー１１０は吹出口１０３と排気口１０５に同時に送風機１０７から供給される位置に開いており、吹出口１０３と排気口１０５より空気を送風することとなる。そして暖められた空気の循環を繰り返すことにより、室内につりさげた洗濯物等を乾燥することができる。
【先行技術文献】
【特許文献】
【０００６】
【特許文献１】特開平１０−３２８４９４号公報
【発明の概要】
【発明が解決しようとする課題】
【０００７】
特許文献１に例示されるような従来の送風装置では、洗濯物を乾燥させようとした場合ヒーターを用いて熱風を洗濯物に当てて乾燥させていたが、消費電力がかかり、また、洗濯物が傷むという課題がある。
【０００８】
本発明は、このような従来の課題を解決するものであり、低消費電力で、かつ、洗濯物が傷まないような洗濯物乾燥できる送風装置を提供することを目的とする。
【課題を解決するための手段】
【０００９】
そして、この目的を達成するために、本発明は、外枠内に、横流ファンと、前記横流ファンを回転させるモータと、風向風速制御装置とを備え、前記外枠の正面に室内の空気を吸い込む吸込口と、前記吸込口にフィルターを設け、前記外枠の上面に前記室内の空気を吸い込んだ空気を吹き出す前記風向風速制御装置を備えた吹出口を設け、前記外枠内の前記吹出口の付近に静電霧化装置を設け、吹き出された風を洗濯物に当てることで、洗濯物乾燥を行う送風装置であって、送風装置は壁面に設置され、前記風向風速制御装置は、小型モータにより回動し、前記風向風速制御装置が閉じるまでの動作に対して、開く際の動作が十分に速いことを特徴としたものであり、これにより所期の目的を達成するものである。
【００１０】
または、本発明は、外枠内に、横流ファンと、前記横流ファンを回転させるモータと、風向風速制御装置とを備え、前記外枠の背面に室内の空気を吸い込む吸込口と、吸込口にフィルターを設け、前記外枠の底面に前記室内の空気を吸い込んだ空気を吹き出す前記風向風速制御装置を備えた吹出口を設け、前記外枠内の前記吹出口の付近に静電霧化装置を設け、吹き出された風を洗濯物に当てることで、洗濯物乾燥を行う送風装置であって、前記風向風速制御装置は、小型モータにより回動し、前記風向風速制御装置が開くまでの動作に対して、閉じる際の動作が十分に速いことを特徴とした。
【発明の効果】
【００１１】
本発明によれば、風向風速制御装置が閉じる方向の動作に対して、開く方向の動作が十分に速いという構成にしたことにより、所定時間内において、開く方向の動作を早くすることで、閉じる方向の動作を多く繰り返すこととなり、閉じる方向の動作の間に洗濯物周辺の湿気の除去作用が多く繰り返されることとなるので、低消費電力で、短時間で、かつ、洗濯物が傷まないような洗濯物乾燥を行うという効果を得ることができる。
【００１２】
また、本発明によれば、風向風速制御装置が開く方向の動作に対して、閉じる方向の動作が十分に速いという構成にしたことにより、所定時間内において、閉じる方向の動作を早くすることで、開く方向の動作を多く繰り返すこととなり、開く方向の動作の間に洗濯物周辺の湿気の除去作用が多く繰り返されることとなるので、低消費電力で、短時間で、かつ、洗濯物が傷まないような洗濯物乾燥を行うという効果を得ることができる。
【図面の簡単な説明】
【００１３】
【図１】本発明の実施の形態１の送風装置を示す図（（ａ）簡易側断面図、（ｂ）内部斜視図）
【図２】同送風装置の側断面図を示す図（（ａ）風向風速制御装置の動作開始初期位置を示す図、（ｂ）風向風速制御装置の動作終了位置を示す図）
【図３】本発明の実施の形態２の送風装置の側断面図を示す図（（ａ）風向風速制御装置の動作開始初期位置を示す図、（ｂ）風向風速制御装置の動作終了位置を示す図）
【図４】本発明の実施の形態３の送風装置の側断面図を示す図
【図５】従来の送風装置を示す断面図
【発明を実施するための形態】
【００１４】
本発明の送風装置は、外枠内に、横流ファンと、前記横流ファンを回転させるモータと、風向風速制御装置とを備え、前記外枠の正面に室内の空気を吸い込む吸込口と、吸込口にフィルターを設け、前記外枠の上面に前記室内の空気を吸い込んだ空気を吹き出す前記風向風速制御装置を備えた吹出口を設け、前記外枠内の前記吹出口の付近に静電霧化装置を設け、吹き出された風を洗濯物に当てることで、洗濯物乾燥を行う送風装置であって、前記風向風速制御装置は、小型モータにより回動し、前記送風装置は壁面に備えられ、前記風向風速制御装置が閉じる方向の動作に対して、開く方向の動作が十分に速いという構成を有する。これにより、閉じる方向の動作の間に洗濯物周辺の湿気を取り除き、開く方向は素早く初期位置に戻すことにより、再度湿気が蓄積された領域に風を当てるという動作とすることで、常に湿気が多い領域に風を送り効率よく湿気の除去が行われることとなるので、効率がよく低消費電力で、短時間で、洗濯物が傷まないような洗濯物乾燥を行うことができるという効果を奏する。
【００１５】
また、外枠内に、横流ファンと、前記横流ファンを回転させるモータと、風向風速制御装置とを備え、前記外枠の正面に室内の空気を吸い込む吸込口と、吸込口にフィルターを設け、前記外枠の上面に前記室内の空気を吸い込んだ空気を吹き出す風向風速制御装置を備えた吹出口を設け、前記外枠内の前記吹出口の付近に静電霧化装置を設け、吹き出された風を洗濯物に当てることで、洗濯物乾燥を行う送風装置であって、風向風速制御装置は、小型モータにより回動し、送風装置は天井に備えられ、風向風速制御装置が開く方向の動作に対して、閉じる方向の動作が十分に速いという構成にしてもよい。これにより、開く方向の動作の間に洗濯物周辺の湿気を取り除き、閉じる方向は素早く初期位置に戻すことにより、再度湿気が蓄積された領域に風を当てるという動作とすることで、常に湿気が多い領域に風を送り効率よく湿気の除去が行われることとなるので、効率がよく低消費電力で、短時間で、洗濯物が傷まないような洗濯物乾燥を行うことができるという効果を奏する。
【００１６】
また、風向風速制御装置が閉じる方向の動作の間、最初は洗濯物の上側に風を当て、徐々に風向を下側へ変化させ、洗濯物の最下部に到達した時点で、閉じる方向の動作に対して十分に早い速度で風向風速制御装置を開くという構成にしてもよい。これにより、閉じる動作時に洗濯物の上部から順に下部へ風を当てる動作を所定時間内にて多く繰り返すこととなるので、低消費電力で、洗濯物が傷まないような洗濯物乾燥を行うことができるという効果を奏する。
【００１７】
また、風向風速制御装置が開く方向の動作の間、最初は洗濯物の上側に風を当て、徐々に風向を下側へ変化させ、洗濯物の最下部に到達した時点で、閉じる方向の動作に対して十分に早い速度で風向風速制御装置を開くという構成にしてもよい。これにより、開く方向の動作時に洗濯物の上部から順に下部へ風を当てる動作を所定時間内にて多く繰り返すこととなるので、低消費電力で、洗濯物が傷まないような洗濯物乾燥を行うことができるという効果を奏する。
【００１８】
また、風向風速制御装置の動作速度が、風を当てている洗濯物の範囲の湿気を確実に取り除く速度であるという構成にしてもよい。これにより、風が通り過ぎた後、再度洗濯物から湿気が放出するが、洗濯物周辺の空気は風により湿気が取り除かれた状態、すなわち湿気を多く含むことができる空気状態であるため、より多くの湿気が洗濯物から放出されることとなるので、低消費電力で、洗濯物が傷まないような洗濯物乾燥を行うことができるという効果を奏する。
【００１９】
また、風向風速制御装置の動作速度が、吹出口から吹き出される風の風速を減少させることがない十分に遅い速度であるという構成にしてもよい。これにより、風向風速制御装置を通して風が吹き出される際、風向風速制御装置による風の減速を抑えることができ、より速い速度の風を洗濯物に当てることにより、洗濯物周囲の湿気を確実に取り除くこととなるので、低消費電力で、洗濯物が傷まないような洗濯物乾燥を行うことができるという効果を奏する。
【００２０】
また、風向風速制御装置の動作速度が、洗濯物の上側の領域に風を当てている際の動作速度と比べて、下側の領域では動作速度が遅いという構成にしてもよい。これにより、送風装置から遠い位置にある洗濯物の下側に対して、風を多く当てることとなるので、洗濯物に対して均等に洗濯物乾燥を行うことができるという効果を奏する。
【００２１】
また、風向風速制御装置の動作範囲が洗濯物の上部から下部の全範囲に風を当てる動作範囲であるという構成にしてもよい。これにより、洗濯物の上部から下部まで風をムラなく当てることとなるので、洗濯物の上下全範囲に対して洗濯物乾燥を行うことができるという効果を奏する。
【００２２】
以下、本発明の実施の形態について図面を参照しながら説明する。
【００２３】
（実施の形態１）
図１（ａ）は、本発明の送風装置１の簡易側断面図、図１（ｂ）は同送風装置の内部斜視図を示している。
【００２４】
図において、外枠２内に、横流ファン３と、横流ファン３を回転させるモータ４と、風向風速制御装置５とを備えた送風装置１であって、外枠２の上面に室内の空気を吸い込む吸込口６と、外枠２の前面に室内の空気を吸い込んだ空気を吹き出す風向風速制御装置５を備えた吹出口７を設け、送風装置１は壁面に取り付けられ、風向風速制御装置５により室内の洗濯物８に吸い込んだ空気を吹き当てる構成とする。また、吸込口６にフィルター１０を設け、外枠２内の吹出口７の付近に静電霧化装置１１を設ける構成とする。
【００２５】
また、風向風速制御装置５は小型モータ１２により回動する。ここで、図２（ａ）（ｂ）を用いて風向風速制御装置５の動作を示す。図２（ａ）（ｂ）は送風装置１の側断面図を示し、図２（ａ）は風向風速制御装置５の動作開始初期位置を、図２（ｂ）は動作終了位置を示している。図において、風向風速制御装置５は送風装置の動作を開始したと同時に動作開始角度αまで開き、この位置を初期位置として閉じる動作を開始し、徐々に閉じていく。そして、動作終了角度βまで閉じた時点で、閉じるまでの動作に対して、開く際の動作が十分に速い速度で動作開始角度αの位置まで開き、再度閉じ始めるという動作を繰り返す構成となっている。
【００２６】
また、風向風速制御装置５が動作開始角度αの時は洗濯物８の上側に風が当たり、動作終了角度βの時は洗濯物８の下側に風が当たる構成となっている。
【００２７】
また、風向風速制御装置５の動作速度が、風を当てている洗濯物８の範囲の湿気を確実に取り除く速度となっている。
【００２８】
また、風向風速制御装置５の動作速度が、吹出口から吹き出される風の風速を減少させることがない十分に遅い速度となっている。
【００２９】
また、風向風速制御装置５の動作範囲が洗濯物８の上部から下部の全範囲に風を当てる動作範囲となっている。
【００３０】
上記構成により、モータ４で横流ファン３を回転させることにより、外枠２の背面の吸込口６からフィルター１０を通して室内の空気を吸い込み、吸い込んだ空気を外枠２の正面すなわち室内側に設けた風向風速制御装置５を備えた吹出口７から室内へ吹き出し、室内の洗濯物８に吸い込んだ空気を吹き当てる。このとき、洗濯物８表面の水分の剥離や、洗濯物８周辺の湿気を吹き飛ばす効果により、洗濯物８を乾燥させることができる。
【００３１】
このように本発明の実施の形態１の送風装置１によれば、閉じる動作の間に洗濯物８周辺の湿気を取り除くが、動作終了角度βまで閉じた時点では、風を当てている周辺は湿度が取り除かれており、一方、動作開始角度αの時に風を当てていた範囲では、再度湿度が洗濯物８から放出されている状態となっている。よって、開く際は素早く初期位置に戻すことにより、再度湿気が蓄積された領域に風を当てるという動作とすることで、常に湿気が多い領域に風を送り効率よく湿気の除去が行われるため、低消費電力で、短時間で、かつ、洗濯物８が傷まないような洗濯物乾燥ができることとなる。
【００３２】
また、風向風速制御装置５が閉じる動作の間、最初は洗濯物８の上側に風を当て、徐々に風向を下側へ変化させ、洗濯物８の最下部に到達した時点で、それまでの閉じる動作に対して十分に早い速度で風向風速制御装置５を開くことにより、閉じる動作時に洗濯物８の上部から順に下部へ風を当てる動作を所定時間内にて多く繰り返すことができるため、低消費電力で、短時間で、洗濯物８が傷まないような洗濯物乾燥を行うことができる。
【００３３】
また、風向風速制御装置５から吐き出された風が洗濯物８に当たり、それによって洗濯物８周囲の湿気が取り除かれるためにはある程度の時間、風を当て続ける必要があり、風向風速制御装置５の動作速度は、風を当てている洗濯物８の範囲の湿気を確実に取り除くために風を十分な時間当て続ける速度となっている。これにより、風が通り過ぎた後、再度、洗濯物８から湿気が放出するが、洗濯物８周辺の空気は風により湿気が取り除かれた状態、すなわち湿気を多く含むことができる空気状態であるため、より多くの湿気が洗濯物８から放出されるため、低消費電力で、短時間で、洗濯物８が傷まないような洗濯物乾燥を行うことができる。
【００３４】
また、風向風速制御装置５は小型モータ１２により回動するが、回動する速度が速いと、風が通過する際に風向風速制御装置５により抵抗が大きくなり、風速が減少してしまい、洗濯物８に到達する風速も小さくなるため、これを防ぐため、風向風速制御装置５の動作速度は、吐出口から吹き出される風の風速を減少させることがない十分に遅い速度となっている。これにより、風向風速制御装置５による風の減速を抑えることができ、より速い速度の風を洗濯物８に当てることで、洗濯物８周辺の湿気を確実に取り除くことができ、低消費電力で、短時間で、洗濯物８が傷まないような洗濯物乾燥を行うことができる。
【００３５】
また、洗濯物８の上部から下部まで風をムラなく当てることができ、洗濯物８の上下全範囲に対して洗濯物乾燥を行うことができる。
【００３６】
実施の形態１において、例えば、風向風速制御装置５が閉じる方向の動作速度を１［°／ｓ］、開く方向の動作速度を２２［°／ｓ］とすることで、低消費電力で、短時間で、洗濯物８が傷まないような洗濯物乾燥を行うことができる。
【００３７】
（実施の形態２）
図３において、図１および図２と同様の構成要素については同一の符号を付し、その詳細な説明は省略する。
【００３８】
図３（ａ）（ｂ）は送風装置１の側断面図を示し、図３（ａ）は風向風速制御装置５の動作開始初期位置を、図３（ｂ）は動作終了位置を示している。図において、風向風速制御装置５は小型モータ１２により回動し、送風装置１は天井に備えられ、風向風速制御装置５は送風装置１の動作を開始したと同時に動作開始角度αまで開き、この位置を初期位置として開く動作を開始し、徐々に開いていく。そして、動作終了角度βまで開いた時点で、開くまでの動作に対して、閉じる際の動作が十分に速い速度で動作開始角度αの位置まで閉じ、再度開き始めるという動作を繰り返す構成となっている。
【００３９】
また、風向風速制御装置５が動作開始角度αの時は洗濯物８の上側に風が当たり、動作終了角度βの時は洗濯物８の下側に風が当たる構成となっている。
【００４０】
上記構成により、モータ４で横流ファン３を回転させることにより、外枠２の背面の吸込口６からフィルター１０を通して室内の空気を吸い込み、吸い込んだ空気を外枠２の底面すなわち室内側に設けた風向風速制御装置５を備えた吹出口７から室内へ吹き出し、風向風速制御装置５により室内の洗濯物８に吸い込んだ空気を吹き当てる。このとき、洗濯物８表面の水分の剥離や、洗濯物８周辺の湿気を吹き飛ばす効果により、洗濯物８を乾燥させることができる。
【００４１】
このように本発明の実施の形態２の送風装置１によれば、開く動作の間に洗濯物８周辺の湿気を取り除くが、動作終了角度βまで開いた時点では、風を当てている周辺は湿度が取り除かれており、一方、動作開始角度αの時に風を当てていた範囲では、再度湿度が洗濯物８から放出されている状態となっている。よって、閉じる際は素早く初期位置に戻すことにより、再度湿気が蓄積された領域に風を当てるという動作とすることで、常に湿気が多い領域に風を送り効率よく湿気の除去が行われるため、低消費電力で、短時間で、かつ、洗濯物８が傷まないような洗濯物乾燥ができることとなる。
【００４２】
また、風向風速制御装置５が開く動作の間、最初は洗濯物８の下側に風を当て、徐々に風向を上側へ変化させ、洗濯物８の最上部に到達した時点で、それまでの開く動作に対して十分に早い速度で風向風速制御装置５を閉じることにより、開く動作時に洗濯物８の下部から順に上部へ風を当てる動作を所定時間内にて多く繰り返すことができるため、低消費電力で、短時間で、洗濯物８が傷まないような洗濯物乾燥を行うことができる。
【００４３】
実施の形態２において、例えば、風向風速制御装置５が開く方向の動作速度を１［°／ｓ］、閉じる方向の動作速度を２２［°／ｓ］とすることで、低消費電力で、短時間で、洗濯物８が傷まないような洗濯物乾燥を行うことができる。
【００４４】
（実施の形態３）
図４において、図１および図２と同様の構成要素については同一の符号を付し、その詳細な説明は省略する。図４は、本発明の送風装置１の側断面図を示している。なお、図中の風向風速制御装置５は、簡易表現のため一部のみの表記かつ、側断面を一直線にて表記している。
【００４５】
図において、風向風速制御装置５の動作ステップ１３は、単位時間経過ごとの風向風速制御装置５の位置を示しており、１ステップの角度において、γ１＞γ２となっていることから、風向風速制御装置５の動作速度が、洗濯物８の上側の領域に風を当てている際の動作速度と比べて、下側の領域では動作速度が遅い構成となっている。
【００４６】
このように、本発明の実施の形態３の送風装置１によれば、送風装置１から遠い位置にある洗濯物８の下側に風を当てるときに、風向風速制御装置５の動作速度を遅くすることで、長時間風を当てることで、洗濯物８の乾きにくい下側へ風を多く当てることができ、洗濯物８に対して均等に洗濯物乾燥を行うことができる。
【産業上の利用可能性】
【００４７】
本発明の送風装置は、室内に吊るした大量の洗濯物等に対して乾燥時間を短縮し、乾燥むらを防止する効果を有することから、洗濯乾燥室や、サウナ、サンルーム等にも適用することができる。
【符号の説明】
【００４８】
１    送風装置
２    外枠
３    横流ファン
４    モータ
５    風向風速制御装置
６    吸込口
７    吹出口
８    洗濯物
９    設置面
１０  フィルター
１１  静電霧化装置
１２  小型モータ
１３  動作ステップ
α    動作開始角度
β    動作終了角度
γ１  １ステップ角度（上側）
γ２  １ステップ角度（下側）
【図１】
0005589404.tif 000002
【図２】
0005589404.tif 000003
【図３】
0005589404.tif 000004
【図４】
0005589404.tif 000005
【図５】
0005589404.tif 000006